(57)【要約】【課題】日常生活を営んでいるだけで医者の診断に近い健康診断を自動的に受けられる。【解決手段】個人宅便器１０，病院端末２０，栄養士端末３０および家族宅端末４０をインターネット１００で接続する。個人宅便器は、トイレ使用毎に尿分析項目についての陰性陽性中性判定を自動的に行う機能と、この尿成分の分析結果データを病院端末に送信する機能と、表示機能とを有する。病院端末は、お年寄り宅便器から分析結果データを受信すると、お年寄りの健康状態を自動的に解析する機能と、解析により異常が認められた場合にはその症状をお年寄り宅便器へ送信して表示させる機能を有する。栄養士端末は、病院端末から症状を受信すると、献立データベースに格納しているサンプル献立リストから、最適な食事の献立を自動選択して個人宅便器および家族宅端末に提示し、家族宅端末は、病院端末から症状、栄養士端末から食事の献立をそれぞれ受信すると表示する。【選択図】        図１
2004166985.tif 000002
【特許請求の範囲】
【請求項１】
個人宅便器と病院端末をインターネットで接続した健康管理システムであって、
前記個人宅便器は、トイレ使用毎に尿分析項目についての陰性陽性中性判定を自動的に行う機能と、この尿成分の分析結果データを前記病院端末に送信する機能と、表示機能とを有し、
前記病院端末は、前記お年寄り宅便器から前記分析結果データを受信すると、前記お年寄りの健康状態を自動的に解析する機能と、前記解析により異常が認められた場合にはその症状を前記お年寄り宅便器へ送信して表示させる機能とを有することを特徴とする健康管理システム。
【請求項２】
前記病院端末および前記個人宅便器とインターネットで接続された家族宅端末を設け、該家族宅端末は、前記病院端末から前記症状を受信すると表示する機能を有することを特徴とする請求項１に記載の健康管理システム。
【請求項３】
前記病院端末および前記個人宅便器とインターネットで接続された栄養士端末を設け、該栄養士端末は、前記病院端末から前記症状を受信すると、献立データベースに格納しているサンプル献立リストから、前記症状に対して最適な食事の献立を自動選択して前記個人宅便器に提示する機能を有することを特徴とする請求項１に記載の健康管理システム。
【請求項４】
前記病院端末および前記個人宅便器とインターネットで接続された栄養士端末および家族宅端末を設け、
前記栄養士端末は、前記病院端末から症状を受信すると、献立データベースに格納しているサンプル献立リストから、最適な食事の献立を自動選択して前記個人宅便器および前記家族宅端末に提示する機能を有し、
前記家族宅端末は、前記病院端末から前記症状、前記栄養士端末から食事の献立をそれぞれ受信すると表示する機能を有することを特徴とする請求項１に記載の健康管理システム。
【請求項５】
請求項１ないし請求項４のいずれかに記載の病院端末を構成するコンピュータに、
前記分析項目を記号化する機能と、
前記尿成分の分析結果における陰性陽性中性判定を２値データ化する機能と、
前記記号毎に順次に２値データの値を判定していく機能と、
前記判定の結果により前記個人の症状を指摘する機能とを実行させることを特徴とする健康状態解析プログラム。
【請求項６】
請求項３または請求項４に記載の栄養士端末を構成するコンピュータに、
前記症状を記号化する機能と、
前記記号に対応する朝メニュー，昼メニュー，夜メニューの各候補を前記献立データベースから順次に取り出す機能と、
前記三食で所定数の品目がとれるメニューの組合せを選択する機能と、
前記三食のエネルギー，蛋白質，塩分の合計が、前記献立データベースに格納されている、その症状に対する規定内の値となるメニューの組合せを選択する機能とを実行させることを特徴とする献立選択プログラム。
【発明の詳細な説明】
【０００１】
【発明の属する技術分野】
本発明は、便器において得られる生体情報を専門機関に送信し、専門家による健康管理を受けることを可能にする健康管理システムに関する。
【０００２】
【従来の技術】
これまでは、個人が自己の健康状態を把握するためには、病院へ行くか、医者に往診してもらう必要があった。この場合、先ず、そのアクションを起こさなければならなかった。しかし、お年寄りは自ら外出することが困難であったり、そうでなくとも病院嫌いに老若男女の別はない。特に、お年寄りと離れて暮らす家族は、電話などで体調を聞いたり能動的に動かなければ安否確認ができず、気がかりな状況におかれる場合が多い。また、定期的に健康診断を受けることができない立場の人は、自ら高額なお金を支払って病院に出向いて検査を受ける必要があり、経済的に余裕のない人にはなかなか自分の体を調べることができないのが実状である。
【０００３】
このような問題をＩＴの活用によって解消しようとする種種の試みがなされている。その一例として、トイレットに付設された生体情報検出装置に携帯電話機接続用コネクタを設け、生体情報検出装置によって検出される生体情報を携帯電話機により外部医療機関に伝送し、外部医療機関から携帯電話機を介して伝送されてきたメッセージを受信し表示するようにした健康管理システムを挙げることができる（従来技術１、例えば特許文献１参照）。この健康管理システムは、生体情報を外部機関に伝送するのに電気配線工事や通信設備を設けることなく、検出された生体情報を直ちに、かつ簡単に外部機関に伝送することを可能にしたものである。
【０００４】
また、食事の面から健康管理をしようとする技術も知られている（従来技術２、例えば特許文献２参照）。この献立支援システムは、医師，管理栄養士等の指導により作成された栄養計算に関するデーター構造を記録した第１の記録媒体と、顧客データー構造を記録した第２の記録媒体とを有するコンピューター処理装置に、顧客が病名，予算，嗜好，体重，年齢，性別，職業等の顧客データーを入力すると、上記記録媒体から用意された献立小皿，惣菜小皿等の選択例と献立、並びに栄養表示表またはヘルスレポート等のプレゼンテーションが出力されるようにしている。これにより、顧客は自分の健康状態やダイエットの状況を自分の食事に反映させることができる。
【０００５】
【特許文献１】
特開平１１−１１３８５９（第１−第４頁、図１）
【特許文献２】
特開２００２−２４５１７９（第１−第５頁、図１）
【０００６】
【発明が解決しようとする課題】
しかしながら、上述した従来技術１では、採集した生体情報の外部医療機関への伝送を直ちに、かつ簡単に行うが、外部医療機関の専門家は送られてきたデータを検討し、健康状態に関する診断または所見や、健康管理に関する助言をメッセージとしてホストコンピュータから被験者に伝送する。つまり、メッセージの作成は在来のマニュアル的なやり方と変わりはなく効率的とはいえないという問題点がある。また、栄養学的な面の記載がない。更には、家族等の第三者が診断結果等を容易に知ることができない。
【０００７】
一方、従来技術２では、専ら献立支援について記載しており、それ以前の症状診断については言及されていない。また、データーの授受は記録媒体によっているため、診断結果から献立支援までの流れが断たれるので、作業の錯誤や遅延をもたらすことにもなりかねない。
【０００８】
そこで、本発明の第１目的は、個人が単に日常生活を営んでいるだけで、医者の診断に近い健康診断が自動的になされ、異常がある場合には症状の指摘を受けることができる健康管理システムを提供することにある。
【０００９】
また、本発明の第２の目的は、上記自動診断の結果に基づいて推奨献立メニューを自動的に提示する健康管理システムを提供することにある。
【００１０】
【課題を解決するための手段】
本発明の健康管理システムは、個人宅便器（図１の１０）と病院端末（図１の２０）をインターネット（図１の１００）で接続した健康管理システムであって、個人宅便器は、トイレ使用毎に尿分析項目についての陰性陽性中性判定を自動的に行う機能と、この尿成分の分析結果データを病院端末に送信する機能と、表示機能とを有し、病院端末は、お年寄り宅便器から分析結果データを受信すると、お年寄りの健康状態を自動的に解析する機能と、解析により異常が認められた場合にはその症状をお年寄り宅便器へ送信して表示させる機能とを有することを特徴とする。
【００１１】
また、病院端末および個人宅便器とインターネットで接続された家族宅端末（図１の４０）を設け、家族宅端末は、病院端末から症状を受信すると表示するようにしてもよい。
【００１２】
なお、上述の病院端末を構成するコンピュータでは、健康状態解析プログラムにより、分析項目を記号化する機能と、尿成分の分析結果における陰性陽性中性判定を２値データ化する機能と、記号毎に順次に２値データの値を判定していく機能と、判定の結果により個人の症状を指摘する機能とを実行する。
【００１３】
このように、本発明は、個人宅の便器で自動的に得られる尿成分の分析結果を病院端末へ自動的に送信し、病院端末の健康状態解析プログラムが尿成分の分析結果を解析することにより、その個人の症状を指摘する構成としたため、個人は単に日常生活を営んでいるだけで、医者の診断に近い健康診断が自動的になされ、異常がある場合には症状の指摘を受けることができるようになる。
【００１４】
また、病院端末および個人宅便器とインターネットで接続された栄養士端末（図１の３０）を設け、栄養士端末は、病院端末から症状を受信すると、献立データベースに格納しているサンプル献立リストから、症状に対して最適な食事の献立を自動選択して個人宅便器に提示するようにしてもよい。
【００１５】
また、病院端末および個人宅便器とインターネットで接続された栄養士端末および家族宅端末を設け、栄養士端末は、病院端末から症状を受信すると、献立データベースに格納しているサンプル献立リストから、最適な食事の献立を自動選択して個人宅便器および前記家族宅端末に提示し、家族宅端末は、病院端末から症状、栄養士端末から食事の献立をそれぞれ受信すると表示するようにしてもよい。
【００１６】
なお、上述の栄養士端末を構成するコンピュータでは、献立選択プログラムのより、症状を記号化する機能と、記号に対応する朝メニュー，昼メニュー，夜メニューの各候補を献立データベースから順次に取り出す機能と、三食で所定数の品目がとれるメニューの組合せを選択する機能と、三食のエネルギー，蛋白質，塩分の合計が、献立データベースに格納されている、その症状に対する規定内の値となるメニューの組合せを選択する機能とを実行する。
【００１７】
このように、本発明は、健康状態解析プログラムによる解析結果は自動的に栄養士端末へ送信され、献立選択プログラムが症状に基づいて推奨献立メニューを自動的に提示する構成としたため、診断結果から献立支援までの流れが断たれないので、作業の錯誤や遅延をもたらすことがなくなる。
【００１８】
本発明によれば、例えば、家族と離れて一人暮らしをしているお年寄りも、意識することなく自分の健康状態のデータが自動的に医者，栄養士，家族の元へ送られることにより、お年より本人は健康状態の維持または改善するためのアドバイスを、家族は安否の確認を享受できるようになる。
【００１９】
【発明の実施の形態】
次に、本発明の健康管理システムの実施の形態について図面を参照しながら説明する。
【００２０】
【実施例の構成】
図１は本発明の健康管理システムの一実施例を示すシステム構成図である。この健康管理システムは、お年寄り宅便器１０，病院端末２０，栄養士端末３０および家族宅端末４０が相互にインターネット１００を介して接続されている。
【００２１】
お年寄り宅便器１０は、一人暮らしをしているお年寄り宅に設けられて、お年寄りの健康状態を検出するものであり、図２に示すようにカウンタ１０１，体温計１０２および尿自動分析装置１０３より構成されている。
【００２２】
カウンタ１０１は、日毎に何回トイレを使用しているのかを記録する機能を有し、その都度、家族宅端末４０にデータを送信する。そして、一日に一度もトイレ使用の形跡がないなどの異常状態には家族宅端末４０に警告（アラーム）する。体温計１０２は、お年寄りの体温を測るもので、病院端末２０にデータを送信する。尿自動分析装置１０３は、尿の成分を自動的に分析する機能を有し、トイレ使用毎に尿蛋白，尿潜血，尿糖，尿ウロビリノーゲンなどのデータを病院端末２０に送信する。
【００２３】
病院端末２０は、ワークステーション・サーバなどの情報処理装置であり、図３に示すように、健康状態解析プログラム２０１とカルテデータベース２０２により構成されている。健康状態解析プログラム２０１は病院端末２０を構成するコンピュータにおいて実行される。病院端末２０がお年寄り宅便器１０からデータを受信すると、健康状態解析プログラム２０１は、そのデータに基づいてお年寄りの健康状態を自動的に解析する。カルテデータベース２０２は解析結果のデータを体温と共に格納し保存しておくするためのものである。
【００２４】
健康状態解析プログラム２０１には医師の専門的なノウハウが組み込まれているので、医師の直接の診断を受けるの近い解析結果を得ることができる。解析結果により、異常が認められた場合にはその症状をお年寄り宅端末１０と家族端末４０に送信する。また、健康状態解析プログラム２０１は解析結果のデータは栄養士端末３０へ送信される。
【００２５】
栄養士端末３０は、ワークステーション・サーバなどの情報処理装置であり、図４に示すように、献立選択プログラム３０１と献立データベース３０２から構成される。献立選択プログラム３０１は栄養士端末３０を構成するコンピュータにおいて実行される。献立データベース３０２は栄養士によって作成され更新される。献立選択プログラム３０１は、病院端末２０から送られてくるデータを基に、献立データベース３０２が格納しているサンプル献立リストから、そのお年寄りに最適な食事の献立を自動選択してお年寄り本人や家族に提示する。また、病院端末２０のカルテデータベース２０２にアクセスできる。
【００２６】
家族端末４０は、パーソナルコンピュータなどの情報処理装置であり、カウンタ１０１が異常事態発生時に送ってくる警告，病院端末２０から送られてくる症状および栄養士端末３０から送られてくる献立のアドバイスを表示し格納する。また、病院端末２０のカルテデータベース２０２にアクセスできる。
【００２７】
図５はお年寄り宅便器１０から病院端末２０へ送信されるデータ例を表示する。この表で、データ分析時刻の項は、お年寄りの尿を尿自動分析装置１０３が分析した時刻を年月日時間分で示している。また、体温の項は体温計１０２の検温結果、判定の項は尿自動分析装置１０３による分析結果を尿分析項目毎に陰性陽性中性の別で示している。図５に示すデータが健康状態解析プログラム２０１に入力される。
【００２８】
図６は健康状態解析プログラム２０１による解析結果のデータ例を示す。この解析結果は、図５に示したデータ例に対して健康状態解析プログラム２０１が解析したものであり、考えられる症状として、肝臓障害，溶血性黄疸および閉塞性黄疸が指摘されている。なお、特に症状が無ければ、「異常なし」との所見が症状の項に示される。図６に示したデータに、図５の体温をふかしたものがカルテデータベース２０２に格納される。
【００２９】
図７は、図６に示したデータ例に対して、献立選択プログラム３０１が献立データベース３０２の中からお年寄り個人の献立を自動選択した食事の献立アドバイスのフォーマットを示す。この献立アドバイスでは、朝，昼，夜毎に、メニュー，その材料および作り方が表示される。
【００３０】
図８は、献立データベース３０２が格納しているサンプル献立リストを例示する。サンプル献立リストは、症状毎に朝，昼，夜三食のメニューを表示するリストと、症状毎に栄養量合計を表示するリストと、メニュー毎に材料，栄養量および作り方を表示するリストとから構成されている。症状毎のメニューは複数が提示され利用者の選択の幅を与えている。
【００３１】
【実施例の動作】
次に、図９，図１０および図１１に示すフローチャートをを用いて本実施例の動作をする。図９は実施例全体のフローチャートを示す。
【００３２】
先ず、お年寄り宅便器１０は、お年寄りによって使用されると、その都度、自動的にカウンタ１０１にて使用回数をカウントし、体温計１０２にて体温を測定、尿自動分析装置１０３にて尿成分を分析し、それぞれの結果を病院端末２０に送信する（図９のステップＡ１）。このとき送信するデータは、図５に例示したとおりである。
【００３３】
病院端末２０では、お年寄り宅便器１０からリアルタイムに上がってくる上記データを基にお年寄りの健康状態を健康状態解析プログラム２０１で自動的に解析する。。解析は、各尿成分の分析結果（判定）を２値データに置換し、その値によって症状の有無を判定していくことによって行う。解析の結果は図６に例示したとおりであり、これに体温を付加したものがカルテデータベース２０２に格納される（ステップＡ２）。カルテデータベース２０２は、家族や栄養士に公開され、家族や栄養士は必要なときに家族宅端末４０または栄養士端末３０からアクセスして必要な情報を得ることができる。
【００３４】
また、健康状態解析プログラム２０１は、体温が３７．５℃を超えるような高温の状態が続く場合や、尿成分の分析結果に対する解析結果により何らかの症状が認められる場合は、お年寄り端末１０および家族宅端末４０に症状警告を送信する（ステップＡ３）。お年寄り宅端末１０と家族端末４０は、病院端末２０から送られてくる警告を表示する（ステップＡ７，Ａ８）。これにより、お年寄りは症状を知り、家族はお年寄りの症状を把握できる。
【００３５】
更に、尿成分の分析結果に対する解析結果により何らかの症状が認められる場合、図６に示した解析結果のデータが病院端末２０から栄養士端末３０に送信される（ステップＡ４）。
【００３６】
栄養士端末３０では、病院端末２０から送られてくる解析結果のデータを基に、献立選択プログラム３０１が献立データベース３０２の中からお年寄り個人の献立を自動選択する（ステップＡ５）。そして、選択した献立アドバイスを家族端末４０に送信する（ステップＡ６）。
【００３７】
お年寄り宅端末１０と家族端末４０は、栄養士端末３０から送られてくる献立アドバイスを表示する（ステップＡ７，Ａ８）。これにより、お年寄りは推奨献立の内から嗜好のものを選ぶことができ、家族は、お年寄りが選んだメニューを把握したり提供したりすることができるようになる。
【００３８】
図１０は健康管理プログラム２０１における尿成分の分析結果に対する解析の手順を示すフローチャートである。
【００３９】
健康管理プログラム２０１は、図５に示した尿成分の分析結果が入力されると、尿分析項目を記号化するデータ置換を行う（図１０のステップＢ１）。すなわち、尿蛋白は“Ｎ１”、尿潜血は“Ｎ２”、尿糖は“Ｎ３”、尿ウロピリノーゲンは“Ｎ４”とされる。また、各尿分析項目の判定を２値データ化する（ステップＢ２）。すなわち、各尿分析項目の判定“−”および“±”は“０”、“＋”は“１”とされる。
【００４０】
そして、記号化された尿分析項目（Ｎ１〜Ｎ４）毎に、“０”か“１”か順次に調べ（ステップＢ３〜Ｂ６）、その結果によって症状の有無を判定していく（ステップＢ７〜Ｂ１０）。“０”（ステップＢ３〜Ｂ６のそれぞれでＹＥＳ）なら異常がないとされ、“１”（ステップＢ３〜Ｂ６のそれぞれでＮＯ）なら症状ありとされる。症状ありと判定された場合は、図６に示したようなデータに組み込まれて栄養士端末３０へ送信される。
【００４１】
図１１は献立選択プログラム３０１におけるメニュー選択の手順を示すフローチャートである。
【００４２】
献立選択プログラム３０１は、図６に示した尿成分の分析結果に対する解析結果が入力すると、症状を記号化するデータ置換を行う（図１１のステップＣ１）。図１１では、肝臓障害は“Ｓ１”、腎性糖尿は“Ｓ２”とされている。そして、この記号に対応する朝メニュー，昼メニュー，夜メニューの各候補を献立データベース３０２から順次に取り出す（図１１のステップＣ２〜Ｃ４）。そして、三食で３０品目とれるメニューの組合せを選択する（ステップＣ５）。
【００４３】
図８にも示されるように、各症状について朝メニュー，昼メニュー，夜メニューは複数がリストアップされているので、上述の組合せは複数ある筈である。その中で、三食のエネルギー，蛋白質，塩分の合計が、献立データベース３０２に格納されている、その症状に対する規定内の値となるメニューの組合せを選択する（ステップＣ６）。選択されたメニューの組合せは作り方と共に推奨献立としてお年寄り宅端末１０と家族宅端末４０へ送信される（図９のステップＡ７）。
【００４４】
献立データベース３０２は栄養士によって作成され、更新されているので、栄養士から直接に専門的な食事アドバイスを受けるのと変わりがない。
【００４５】
以上に説明した実施例では、お年寄り宅をとり上げているが、本発明は、これに限定されることはなく、老若男女を問わず広く個人宅について適用され得る。
【００４６】
また、栄養士端末や家族宅端末の存在は必須でない。食事アドバイスを伴わず、単に症状の把握だけでも意義のあることである。また、家族の介入が不要であったり、家族がいないケースもあり得るからである。
【００４７】
【発明の効果】
本発明によれば、個人宅の便器で自動的に得られる尿成分の分析結果を病院端末へ自動的に送信し、病院端末の健康状態解析プログラムが尿成分の分析結果を解析することにより、その個人の症状を指摘する構成としたため、個人は単に日常生活を営んでいるだけで、医者の診断に近い健康診断が自動的になされ、異常がある場合には症状の指摘を受けることができるという第１の効果が得られる。
【００４８】
また、健康状態解析プログラムによる解析結果は自動的に栄養士端末へ送信され、献立選択プログラムが症状に基づいて推奨献立メニューを自動的に提示する構成としたため、診断結果から献立支援までの流れが断たれないので、作業の錯誤や遅延をもたらすことがないという第２の効果が得られる。
【図面の簡単な説明】
【図１】本発明の健康管理システムの一実施例を示すシステム構成図
【図２】お年寄り宅便器１０の詳細図
【図３】病院端末２０の詳細図
【図４】栄養士端末３０の詳細図
【図５】はお年寄り宅便器１０から病院端末２０へ送信されるデータ例を表示する図
【図６】健康状態解析プログラム２０１による解析結果のデータ例を示す図
【図７】献立選択プログラム３０１による献立アドバイスのフォーマットを示す図
【図８】献立データベース３０２が格納しているサンプル献立リストを例示する図
【図９】図１に示した実施例全体の動作を示すフローチャート
【図１０】健康管理プログラム２０１における尿成分の分析結果に対する解析の手順を示すフローチャート
【図１１】献立選択プログラム３０１におけるメニュー選択の手順を示すフローチャート
【符号の説明】
１０        お年寄り宅端末
２０        病院端末
３０        栄養士端末
４０        家族宅端末
１０１      カウンタ
１０２      体温計
１０３      尿自動検出装置
２０１      健康状態解析プログラム
２０２      カルテデータベース
３０１      献立選択プログラム
３０２      献立データベース
【図１】
2004166985.tif 000003
【図２】
2004166985.tif 000004
【図３】
2004166985.tif 000005
【図４】
2004166985.tif 000006
【図５】
2004166985.tif 000007
【図６】
2004166985.tif 000008
【図７】
2004166985.tif 000009
【図８】
2004166985.tif 000010
【図９】
2004166985.tif 000011
【図１０】
2004166985.tif 000012
【図１１】
2004166985.tif 000013